(57)【特許請求の範囲】
【請求項１】
基礎に備えられているアンカーボルトを受け入れる受入部を有すると共に、該受入部に受け入れたアンカーボルトで前記基礎に止着されている少なくとも一対のプレキャストコンクリート側枠材と、
この基礎に備えられている前記プレキャストコンクリート側枠材の上部側間に架け渡されて該プレキャストコンクリート側枠材に両側部を止着されているプレキャストコンクリート上枠材とを備えていることを特徴とするゲート。
【請求項２】
前記プレキャトコンクリート側枠材を、互いに板面を向き合わせるように前記基礎に備えられている一対のプレキャストコンクリート側板としてあり、
且つ、前記プレキャストコンクリート上枠材を、前記プレキャストコンクリート側板における両側縁部の互いに向き合っている上部側間に架け渡されて該プレキャストコンクリート側板に両側部を止着されている一対のプレキャストコンクリート梁板と、
このプレキャストコンクリート梁板及び前記プレキャストコンクリート側板の上端面に接するように添装されて該プレキャストコンクリート梁板と該プレキャストコンクリート側板とに止着されているプレキャストコンクリート上板としていることを特徴とする請求項１に記載のゲート。
【請求項３】
前記プレキャストコンクリート側板が、長方形状をなす板状本体部と、この板状本体部の一方の板面側の両側縁部に沿って該板面から突き出すように該側縁部の下端と上部側との間に亙って備えられている受け板部とを有しており、この受け板部上が前記プレキャストコンクリート梁板の載置面としてあることを特徴とする請求項２に記載のゲート。
【発明の詳細な説明】
【０００１】
【発明の属する技術分野】
この発明は、施工が容易で、しかも、均一な品質を備えた外観体裁の良好なゲートの提供に関する。
【０００２】
【従来の技術】
各種の建造物の出入り口や、各種の境界手段の出入り口などを構成するゲートは、例えば、鉄骨構造にラス網モルタル塗りの表面仕上げを施して構成したものや、打込み鉄筋コンクリート造で構成したものや、鉄骨構造に窯業系サイディング材で表面仕上げを施して構成したものなどがあった。
【０００３】
【発明が解決しようとする課題】
しかしながら、前記の鉄骨構造にラス網塗り造りの表面仕上げを施して構成されるゲートにあっては、短かい施工期間で当該ゲートを構成し得る反面、満足し得る表面化粧を備えたゲートの構成に多くの資材と人手とを要する不具合があり、また、当該ゲート表面の仕上げ材部分が振動に弱く、外部に亀裂を生じ易く、また、防水処理に難があって、内部で生じた錆びが滲み出して表面仕上げ面の美観を損ねるなどの不具合があった。
【０００４】
また、前記の打込み鉄筋コンクリート造りのゲートにあっては、施工現場において仮型枠などの型枠施工や、支保工処理、コンクリートの打込み処理、打設コンクリートの養生処理、脱型処理や、形成される打設コンクリート面に対する表面化粧処理などの多くの施工手間と、多くの施工資材とを要し、また、養生などのために多くの施工期間を要するなどの不具合があった。
【０００５】
また、鉄骨構造に表面仕上げ材として窯業系サイディング材を用いる前記の方法にあっては、このゲートの構成に住宅に用いられている窯業系サイディング材を転用することが難しく、しかも、専用のサイディング材を用意しない限り住宅の外観との調和を図り難い問題を有しており、かかる専用のサイディング材の使用によって構成されるゲートが割高となる不具合があった。
【０００６】
この発明は、かかる従来のゲートにおける不具合を解消するために、前もって成形用意されたプレキャストコンクリート側枠材とプレキャストコンクリート上枠材とで、前もって打設用意された基礎上に、短い施工期間で、格別の技術を要することなく、均一な品質と良好な外観体裁とを有するように構成されているゲートの提供を目的としている。
【０００７】
【課題を解決するための手段】
請求項１に記載の発明は、前記目的を達成するために、基礎に備えられているアンカーボルトを受け入れる受入部を有すると共に、該受入部に受け入れたアンカーボルトで前記基礎に止着されている少なくとも一対のプレキャストコンクリート側枠材と、この基礎に備えられている前記プレキャストコンクリート側枠材の上部側間に架け渡されて該プレキャストコンクリート側枠材に両側部を止着されているプレキャストコンクリート上枠材とを備えていることを特徴とするゲートとしてある。
【０００８】
このように構成されるゲートにあっては、前記基礎に備えられているアンカーボルトで該基礎上にプレキャストコンクリート側枠材を止着し、且つ、この基礎に止着されたプレキャストコンクリート側枠材の上部側間に渡るように前記プレキャストコンクリート上枠材を該プレキャストコンクリート側枠材に止着することによって、均一な強度を有すると共に均一な外観を備えたコンクリート造のゲートを構成できる。
【０００９】
また、かかる構成からなるゲートにあっては、構成されるゲート表面がコンクリート板面とされ、このコンクリート板面をゲート面として用いることができ、且つ、化粧仕上げの際の下地面として用いることができる。
【００１０】
次いで、請求項２に記載の発明は、前記目的を達成するために前記請求項１に記載の発明において、前記プレキャトコンクリート側枠材を、互いに板面を向き合わせるように前記基礎に備えられている一対のプレキャストコンクリート側板としてあり、且つ、前記プレキャストコンクリート上枠材を、前記プレキャストコンクリート側板における両側縁部の互いに向き合っている上部側間に架け渡されて該プレキャストコンクリート側板に両側部を止着されている一対のプレキャストコンクリート梁板と、このプレキャストコンクリート梁板及び前記プレキャストコンクリート側板の上端面に接するように添装されて該プレキャストコンクリート梁板と該プレキャストコンクリート側板とに止着されているプレキャストコンクリート上板としていることを特徴とするゲートとしてある。
【００１１】
このように構成されるゲートにあっては、前記特長に併せて、奥行き幅を備えると共に、上部側にプレキャストコンクリート梁板とプレキャストコンクリート上板との間に下面開口の収納空間を備えたゲートを構成することができる。
【００１２】
次いで、請求項３に記載の発明は、前記目的を達成するために前記請求項２に記載の発明において、前記プレキャストコンクリート側板が、長方形状をなす板状本体部と、この板状本体部の一方の板面側の両側縁部に沿って該板面から突き出すように該側縁部の下端と上部側との間に亙って備えられている受け板部とを有しており、この受け板部上が前記プレキャストコンクリート梁板の載置面としてあることを特徴とするゲートとしてある。
【００１３】
このように構成されるゲートにあっては、前記特長に併せて、プレキャストコンクリート梁板を確実に且つ容易にプレキャストコンクリート側板に組み付け止着することができる。
【００１４】
また、このように構成されるゲートにあっては、構成されるゲートの前後面に備えられる受け板部によって、当該ゲートに十分な強度がもたらされると共に、体裁の良好な外観のゲートとされる。
【００１５】
【発明の実施の形態】
以下、本発明の典型的な一実施の形態に係るゲートＡについて詳細に説明する。
【００１６】
図１は、この典型的な実施の形態に係るゲートＡを構成するプレキャストコンクリート側枠材１を基礎４０に設置する状態を斜め上方から見て示しており、図２は、この基礎４０に仮止めの状態で備えられたプレキャストコンクリート側枠材１の要部を該基礎４０の一部と共に断面して示している。
図３〜図７は、この基礎４０に備えられたプレキャストコンクリート側枠材１にプレキャストコンクリート上枠材２であるプレキャストコンクリート梁板２０とプレキャストコンクリート上板３０とを順次に組み付ける工程を斜め上方から見て示している。
図８は、このように基礎４０上に組み付けられたプレキャストコンクリート側枠材１とプレキャストコンクリート上枠材２であるプレキャストコンクリート梁板２０及びプレキャストコンクリート上板３０とを一部を破断して斜め上方から見て示している。
【００１７】
図９は、基礎４０上に組み付けられたプレキャストコンクリート側枠材１とプレキャストコンクリート上枠材２であるプレキャストコンクリート梁板２０及びプレキャストコンクリート上板３０に備えられる連結用の各孔部にセメントモルタル７０を充填して構成されたゲートＡを状態を斜め上方から見て示している。
また、図１０は、この構成されたゲートＡを、その長手側で縦向きに断面して、また、図１１では、このゲートＡを幅側で縦向きに断面して、更に図１２では、このゲートＡを水平の向きで断面して示している。
【００１８】
図１３は、このゲートＡにおけるプレキャストコンクリート側枠材１とされるプレキャストコンクリート側板１０の基礎４０に対する取付け部の要部を該基礎４０の要部と共に断面して、図１４及び図１５では、これを、その切断の位置を変えて示している。図１６は、プレキャストコンクリート側枠材１とされるプレキャストコンクリート側板１０とプレキャストコンクリート上枠材２とされるプレキャストコンクリート梁板２０との接合部の要部を、また、図１７及び図１８は、プレキャストコンクリート側枠材１とされるプレキャストコンクリート側板１０とプレキャストコンクリート上枠材２とされるプレキャストコンクリート梁２０及びプレキャストコンクリート上板３０との接合部を夫々向きを変えて切断して示しており、図１９及び図２０は、プレキャストコンクリート側枠材１とされるプレキャストコンクリート側板１０とプレキャストコンクリート上枠材２とされるプレキャストコンクリート上板３０との接合部を夫々向きを変えて切断して示しており、図２１及び図２２は、プレキャストコンクリート上枠材２とされるプレキャストコンクリート梁板２０とプレキャストコンクリート上板３０との接合部を夫々向きを変えて切断して示している。
【００１９】
図２３は、このゲートＡの構成に用いられるプレキャストコンクリート側枠材１とされるプレキャストコンクリート側板１０を側方から見て、図２４は、これを前方から見て、図２５は、これを上方から見て、図２６は、これを下方から見て夫々示している。
【００２０】
図２７は、このゲートＡをシャッターゲートとして用いる状態を長手側で縦向きに断面して、図２８は、これを幅側で縦向きに断面して夫々示している。
【００２１】
この典型的な実施の形態に係るゲートＡは、基礎４０に備えられているアンカーボルト４１を受け入れる受入部１ａを有すると共に、該受入部１ａに受け入れたアンカーボルト４１で前記基礎４０に止着されているプレキャストコンクリート側枠材１と、該基礎４０に備えられている該プレキャストコンクリート側枠材１の上部側間に架け渡されて該プレキャストコンクリート側枠材１に両側部を止着されているプレキャストコンクリート上枠材２とを備えて構成してある。
【００２２】
この実施の形態に係るゲートＡは、各種のシャッターゲートなどのゲートとして用いられるものであって、例えば、戸建住宅や集合住宅や各種駐車場などにおける車の出入口用のゲートとして、戸建住宅や集合住宅などにおける出入口のゲートなどとして用いられる。
【００２３】
この実施の形態に係るゲートＡは、設置対象地面５０に当該ゲートＡを構成する基礎４０を前もって形成用意し、この形成用意された基礎４０上に、少なくとも一対の前記プレキャストコンクリート側枠材１を、この基礎４０に備えられているアンカーボルト４１で、この基礎４０に止着してあり、この基礎４０に止着されているプレキャストコンクリート側枠材１の上部側間に架け渡される前記プレキャストコンクリート上枠材２の両側部を、このプレキャストコンクリート側枠材１に止着した構成としてあり、この基礎４０に対する当該プレキャストコンクリート側枠材１の組み付けと、このプレキャストコンクリート側枠材１に対する前記プレキャストコンクリート上枠材２の組み付けとによって、コンクリート製のゲートＡを構成してある。
【００２４】
かかるゲートＡを構成するプレキャストコンクリート側枠材１は、当該ゲートＡの構成材として都合の良い強度などの品質を備えるように各種の成形方法で成形用意した当該ゲートＡの構成に都合の良い形状、寸法を備えたものとしてあって、例えば、当該ゲートＡに柱状ないしは袖壁状の構成を付与し得る形状、寸法、強度などを備えるように各種の成形方法で成形用意してある。
【００２５】
かかるゲートＡを構成するプレキャストコンクリート側枠材１は、前記基礎４０に備えられているアンカーボルト４１を受入れる受入部１ａを備えたものとして構成してあり、この受入部１ａに、この基礎４０におけるアンカーボルト４１を受入れて、この受入部１ａに受入れたアンカーボルト４１で、該基礎４０に一体に止着してある。
【００２６】
かかるゲートＡを構成するプレキャストコンクリート側枠材１は、互いに向き合うように備えられる一対のプレキャストコンクリート側枠材１としてあっても、また、互いに向き合う複数対のプレキャストコンクリート側枠材１としてあっても、また、一方側を一個のプレキャストコンクリート側枠材１とし且つ他方側を複数個のプレキャストコンクリート側枠材１としてあってもよい。
【００２７】
かかるゲートＡを構成するプレキャストコンクリート上枠材２は、当該ゲートＡの構成材として都合の良い強度などの品質を備えるように各種の成形方法で成形用意した当該ゲートＡの構成に都合の良い形状、寸法を備えたものとしてある。
【００２８】
かかるゲートＡを構成するプレキャストコンクリート上枠材２は、前記基礎４０に備えられているプレキャストコンクリート側枠材１の上部側間に架け渡されて、その両側部を該プレキャストコンクリート側枠材１に止着し得る構成を備えたものとしてあり、前記一対のプレキャストコンクリート側枠材１間に備えられる一個のプレキャストコンクリート上枠材２としてあっても、この一対のプレキャストコンクリート側枠材１間に備えられる複数個一組のプレキャストコンクリート上枠材２としてあっても、また、前記複数対のプレキャストコンクリート側枠材１間に備えられる一個のプレキャストコンクリート上枠材２としてあっても、また、該複数対のプレキャストコンクリート側枠材１間に備えられる複数個のプレキャストコンクリート上枠材２としてあっても、また、一方側を一個のプレキャストコンクリート側枠材１とし且つ他方側を複数個のプレキャストコンクリート側枠材１とした前記プレキャストコンクリート側枠材１間に備えられる一個又は複数個のプレキャストコンクリート上枠材２としてあってもよい。
【００２９】
このように構成されるゲートＡにあっては、前記基礎４０に備えられているアンカーボルト４１で該基礎４０上にプレキャストコンクリート側枠材１を止着し、且つ、この基礎４０に止着されたプレキャストコンクリート側枠材１の上部側間に渡るように前記プレキャストコンクリート上枠材２を該プレキャストコンクリート側枠材１に止着することによって、均一な強度を有すると共に均一な外観を備えたコンクリート造のゲートＡを構成できる。
【００３０】
また、かかる構成からなるゲートＡにあっては、構成されるゲートＡ表面がコンクリート板面とされ、このコンクリート板面をゲートＡ面として用いることができ、且つ、化粧仕上げの際の下地面として用いることができる。
【００３１】
この実施の形態に係るゲートＡを、更に具体的に説明する。
【００３２】
前記ゲートＡを構成するプレキャストコンクリート側枠材１は、典型的には、所定の幅を有する長尺板状に構成されるプレキャストコンクリート側板１０として構成される。
かかるプレキャストコンクリート側板１０は、典型的には、当該ゲートＡの柱ないしは耐力壁として機能する比較的幅拡のプレキャスト鉄筋コンクリート板状体として構成される。
【００３３】
また、前記ゲートＡを構成するプレキャストコンクリート上枠材２は、典型的には、前記プレキャストコンクリート側枠材１を構成するプレキャストコンクリート側板１０の両側縁部１０ａの互いに向き合っている上部側間に架け渡されて該プレキャストコンクリート側板１０に両側部を止着される一対のプレキャストコンクリート梁板２０と、このプレキャストコンクリート梁板２０及び前記プレキャストコンクリート側板１０の上端面２０ａ、１０’ｂに接するように添装されて該プレキャストコンクリート梁板２０及びプレキャストコンクリート側板１０とに止着されるプレキャストコンクリート上板３０とによって構成される。
【００３４】
この図示例にあっては、前記プレキャストコンクリート側板１０を、上下方向に長い長方形状で、しかも、比較的厚さを有する板状本体部１０’と、この板状本体部１０’の一方の板面１０’ａ側における上下方向を向いている両側縁部１０ａ、１０ａに沿って、この板面１０’ａから突き出すように該板状本体部１０’に一体に備えられる受け板部１０”とを備えた構成としてあり、この板状本体部１０’の両側縁部１０ａ、１０ａに沿って備えられる受け板部１０”を、該側縁部１０ａの下端と上部側との間に亙るように設け、この受け板部１０”上をプレキャストコンクリート梁板２０の載置面として構成してある。
【００３５】
かかるプレキャストコンクリート側板１０を構成する板状本体部１０’は、比較的厚さを有する上下方向に長い長方形状板としてあり、この板状本体部１０’における各板面１０’ａ、１０’ａが平行とされており、また、各側端面１０’ｄ、１０’ｄが互いに平行な垂直面としてあり、また、この板状本体部１０’における上端面１０’ｂと下端面１０’ｃとが互いに平行で、しかも、該側端面１０’ｄに直交する面として構成されている。
【００３６】
かかる板状本体部１０’に一体に備えられる受け板部１０”は、この板状本体部１０’における前記板面１０’ａの一方側の板面１０’ａにおける両側縁部１０ａに沿い、且つ、該側縁部１０ａの下端と上部側との間に亙って、該板面１０’ａから突き出すように備えられた上下方向に長い長方形の板状部として構成してあり、一方側の面を前記板状本体部１０’における側端面１０’ｄに連続する側面１０”ａとした一対の平行な側面１０”ａ、１０”ａと、この各側面１０”ａ、１０”ａ間に備えられる垂直な前端面１０”ｄと、この前端面１０”ｄに直交する上端面１０”ｂ及び下端面１０”ｃとを備えた構成としてあって、この受け板部１０”における上端面１０”ｂ上を、前記板状本体部１０’の板面１０’ａに側端面を接するように組み付けられて前記プレキャストコンクリート梁板２０の載置面として構成してある。
【００３７】
かかる構成からなるプレキャストコンクリート側板１０は、典型的には当該プレキャストコンクリート側板１０に所要の強度をもたらすように配筋された鉄筋１１を備えた、所謂プレキャスト鉄筋コンクリート側板として構成してあり、コンクリート打込み型枠を利用して各種インサート金物などを埋設状態に備えた構成としてある。
【００３８】
かかる構成からなるプレキャストコンクリート側板１０の下部には、アンカーボルト４１を受入れて、この受入れアンカーボルト４１で当該プレキャストコンクリート側板１０を基礎４０に止着する受入部１ａを設けてある。
このプレキャストコンクリート側板１０に備えられる受入部１ａは、該プレキャストコンクリート側板１０の下端面に開口され且つ該プレキャストコンクリート側板１０の上方に延びるように備えられていると共に、アンカーボルト４１を受け入れ且つ該アンカーボルト４１で、当該プレキャストコンクリート側板１０を基礎４０に取付ける取付け孔１２として構成してあり、前記基礎４０に備えられる各アンカーボルト４１に夫々対応するように当該プレキャストコンクリート側板１０の下部に夫々設けてある。
【００３９】
この受入部１ａを構成する取付け孔１２は、前記板状本体部１０’の下端面１０’ｃと、受け板部１０”の下端面１０”ｃの夫々から夫々上方に向けて延びるように、基礎４０に備えられている各アンカーボルト４１に対応して設けてあり、この図示例にあっては、各受け板部１０”の下部に夫々一個の取付け孔１２を設けてあると共に板状本体部１０’の下部に二個の当該取付け孔１２を設けてある。
【００４０】
このプレキャストコンクリート側板１０に備えられる取付け孔１２は、前記各下端面１０’ｃ、１０”ｃに開口して上方に延びる垂直な細径孔部１２ａと、この細径孔部１２ａの上部側にあって、この細径孔部１２ａを外部と連通する操作穴部１２ｂとを有する構成としてある。また、この細径孔部１２ａは、パイプ１２ａ’を備えた構成としてあり、プレキャストコンクリート側板１０の成形において当該パイプ１２ａ’をインサートした状態でプレキャストコンクリート側板１０の成形型枠にコンクリートを打設することによって構成してある。
【００４１】
かかる受入部１ａを構成する取付け孔１２は、前記板状本体部１０’と受け板部１０”とに設けてあり、該取付け孔１２を構成する細径孔部１２ａの上部側に、該細径孔部１２ａを外部に連通する操作穴部１２ｂを、該板状本体部１０’及び受け板部１０”における夫々の内側に面した板面１０’ａに開口するように設けてある。
【００４２】
この板状本体部１０’及び受け板部１０”の板面１０’ａに開口するように前記細径孔部１２ａに連通して設けられる操作穴部１２ｂは、この操作穴部１２ｂ内に突き出されるアンカーボルト４１の上部側に対してナット６０などによる締め付け操作をなし得る開口形状と大きさとを有するものとして構成してあり、該操作穴部１２ｂにおける下側の面が平坦面１２ｂ’としてあり、座金６１などの受け面をなすようにしてある。
【００４３】
この図示例にあっては、前記受け板部１０”の夫々に各１個の取付け孔１２を、また、前記板状本体部１０’に所定間隔を離して２個の取付け孔１２を設け、当該プレキャストコンクリート側板１０を基礎４０に備えられているアンカーボルト４１によって立設状態に当該基礎４０に確実に固着してある。
【００４４】
また、このプレキャストコンクリート側板１０を構成する受け板部１０”の上端面に雌ねじ孔を開口するように該受け板部１０”の上部にインサートナット１５を一体に埋設状態に設けてある。
また、このプレキャストコンクリート側板１０を構成する板状本体部１０’の上端面に開口するように該板状本体部１０’の上部に任意数のインサートナット１４を所定間隔を離して一体に埋設状態に設けてある。
【００４５】
このプレキャストコンクリート側板１０に埋設状態に備えられるインサートナット１４、１５は、該プレキャストコンクリート側板１０の形成において、型枠を利用して該型枠内に配置し、この型枠内にコンクリートを打設することによって、当該プレキャストコンクリート側板１０に一体に設けてある。
【００４６】
また、前記受け板部１０”の上端面１０”ｂの上方にある前記板状本体部１０’の上部側に、この板状本体部１０’における板面１０’ａ、１０’ａ間に連通するように取付け孔１３を設けてある。
【００４７】
この板状本体部１０’に備えられる取付け孔１３は、略水平方向に備えられる細径孔部１３ａと、板状本体部１０’の外側にある板面１０’ａ側にあって、この細径孔部１３ａの開口部分に備えられる操作穴部１３ｂとを有する構成としてある。
【００４８】
この取付け孔１３を構成する細径孔部１３ａは、当該プレキャストコンクリート側板１０の形成に際して、該プレキャストコンクリート側板１０の打込み型枠を利用してパイプ１３ａ’を配置し、当該打込み型枠内にコンクリートを打設して構成されており、この取付け孔１３を介してボルト６５を挿通孔２３に備えられるインサートナット２４にねじ入れ操作をするのに都合の良い開口形状と開口大きさとを備えた操作穴部１３ｂを該細径孔部１３ａの開口部に備えた構成としてある。
【００４９】
この細径孔部１３ａの開口部に構成される操作穴部１３ｂは、該細径孔部１３ａに連通する側にボルト６５の取付け座金６６の当接される垂直面１３ｂ’を有する構成としてあり、しかも、この操作穴部１３ｂから該垂直面１３ｂ’を通って前記細径孔部１３ａに至る充填溝１３ｃを有する構成としてある。
【００５０】
この図示例にあっては、該板状本体部１０’に備えられる取付け孔１３を、前記受け板部１０”の上方にある該板状本体部１０’部分の上下方向に所定間隔を離して複数個を設けた構成としてある。
【００５１】
かかるプレキャストコンクリート側板１０の立設される基礎４０は、当該プレキャストコンクリート側板１０の設置予定地面５０を掘削して、割栗石を敷き並べると共に型枠組をして、この型内に配筋した鉄筋４２に、前記プレキャストコンクリート側板１０の取付けに用いられるアンカーボルト４１を起立状態に備え付けて、この型枠内に基礎コンクリートを打設して構成してある。
かかる基礎４０に備えられているアンカーボルト４１を、前記プレキャストコンクリート側板１０における受入部１ａとして構成される前記取付け孔１２に挿通させて、該基礎４０上に前記プレキャストコンクリート側板１０を、互いに向き合うように、即ち、該プレキャストコンクリート側板１０の板状本体部１０’における板面１０’ａを互いに向き合わせて起立状態にセットし、この取付け孔１２における操作穴部１３ｂに突き出されている当該アンカーボルト４１に座金６１を介装すると共にナット６０を該アンカーボルト４１に螺合して、このナット６０で該プレキャストコンクリート側板１０を基礎４０に仮止めの状態に止めつける。
【００５２】
このように基礎４０上に互いに向き合うように備えられたプレキャストコンクリート側枠材１を構成する一対の立設状態に備えられるプレキャストコンクリート側板１０の上部側間に前記プレキャストコンクリート上枠材２を架け渡すと共に、このプレキャストコンクリート上枠材２の両側部を該プレキャストコンクリート側枠材１を構成するプレキャストコンクリート側板１０に止着する。
【００５３】
かかるプレキャストコンクリート側板１０間に架け渡されるプレキャストコンクリート上枠材２は、典型的には、該プレキャストコンクリート側板１０における板状本体部１０’の上端間に亙って備えられるプレキャストコンクリート上板３０と、この各プレキャストコンクリート側板１０間に渡るように該プレキャストコンクリート上板３０の各長手縁に沿って備えられ一対のプレキャストコンクリート梁板２０として構成してある。
【００５４】
このプレキャストコンクリート上枠材２を構成するプレキャストコンクリート梁板２０は、板面２０ａを前後方向に向けて前記プレキャストコンクリート側板１０間に備えられる横方向に長い長方形状に構成してあり、側端面２０ｄを前記プレキャストコンクリート側板１０における板状本体部１０’の板面１０’ａに突き当てるように、前記受け板部１０”における上端面１０”ｂに該プレキャストコンクリート梁板２０の下端面２０ｃを乗せかけて、該プレキャストコンクリート側板１０に備えられる構成としてあり、このプレキャストコンクリート側板１０に備えられるプレキャストコンクリート梁板２０の上端面２０ｂが前記プレキャストコンクリート側板１０の板状本体部１０’における上端面１０’ｂに面一となる構成としてある。
【００５５】
このプレキャストコンクリート側板１０に備えられるプレキャストコンクリート梁板２０は、前記プレキャストコンクリート側板１０と同様に、ゲートＡを構成するのに都合の良い強度などの特性を備えるように各種の方法で前もって成形用意されており、例えば、鉄筋２１を成形型枠内に配設すると共に、この成形型枠を利用して各種インサート金物などを当該型枠内に備えた状態で、コンクリートを打設、脱型して形成したプレキャスト鉄筋コンクリート板などとして構成される。
【００５６】
この図示例に係るプレキャストコンクリート梁板２０にあっては、該プレキャストコンクリート梁板２０の側端面２０ｄにねじ孔を開口するように該側端部にインサートナット２４を埋設状態に備え、また、該プレキャストコンクリート梁板２０における両側部に、このプレキャストコンクリート梁板２０の上端面２０ｂと下端面２０ｃとを連通する挿通孔２３を備え、しかも、この各挿通孔２３間にある該プレキャストコンクリート梁板２０の上端部の所定間隔毎に、該プレキャストコンクリート梁板２０の上端面２０ｂにねじ孔を開口するようにインサートナット２２を埋設状態に備えた構成としてある。
【００５７】
このように構成されるプレキャストコンクリート梁板２０を、前記プレキャストコンクリート側板１０における両側縁部１０ａの互いに向き合った上部側間、この図示例にあっては、該プレキャストコンクリート側板１０を構成する受け板部１０”上にある板状本体部１０’の板面１０’ａに、該プレキャストコンクリート梁板２０の側端面２０ｄを当接して、該プレキャストコンクリート梁板２０を該受け板部１０”の上端面１０”ｂ上に乗せかけ状に組み付けるようにしてある。
【００５８】
かかるプレキャストコンクリート側板１０に対するプレキャストコンクリート梁板２０の組み付けは、先ず、このプレキャストコンクリート側板１０における受け板部１０”の上端面１０”ｂに設けられているインサートナット１５に両ねじボルト６２をねじ入れて立設し、この両ねじボルト６２をプレキャストコンクリート梁板２０における前記挿通孔２３に挿通するように該プレキャストコンクリート梁板２０を前記受け板部１０”上に乗せかけ、この受け板部１０”上に乗せかけ状態に備えられたプレキャストコンクリート梁板２０を、前記プレキャストコンクリート側板１０の板状本体部１０’における板面１０’ａに備えられた取付け孔１３から該プレキャストコンクリート梁板２０の前記インサートナット２４に座金６６を介装して螺入したボルト６５によって該プレキャストコンクリート側板１０に止着する。
【００５９】
なお、このプレキャストコンクリート梁板２０の組み付けに用いられる前記両ねじボルト６２は、その上端側を、このプレキャストコンクリート側板１０に組み付けられるプレキャストコンクリート梁板２０の上端面２０ｂから上方に突き出す長さを備えたものとしてあり、前記プレキャストコンクリート上板３０に備えられる取付け孔３２に差入れられる構成としてある。
【００６０】
かかるプレキャストコンクリート梁板２０と共にプレキャストコンクリート上枠材２を構成するプレキャストコンクリート上板３０は、前記プレキャストコンクリート側枠材１を構成するプレキャストコンクリート側板１０における板状本体部１０’の上端面１０’ｂと、前記プレキャストコンクリート梁板２０の上端面２０ｂに接するように添装されて、このプレキャストコンクリート側板１０とプレキャストコンクリート梁板２０とに止着される構成としてあり、前記プレキャストコンクリート梁板２０と同様に、ゲートＡを構成するのに都合の良い強度などの特性を備えるように各種の方法で前もって成形用意されており、例えば、鉄筋３１を成形型枠内に配設すると共に、これにコンクリートを打設、脱型して形成したプレキャスト鉄筋コンクリート板などとして構成される。
【００６１】
このプレキャストコンクリート上枠材２を構成するプレキャストコンクリート上板３０は、板面３０ａを上下方向に向けて前記各プレキャストコンクリート側板１０に渡るように備えられる横方向に長い長方形状に構成してあり、長手側端面３０ｂを前記板状本体部１０’の側端面１０’ｂ及び前記プレキャストコンクリート梁板２０の板面２０ａに面一の状態とされ、また、短手側端面３０ｃを前記板状本体部１０’の板面１０’ａに面一の状態となるように前記プレキャストコンクリート側板１０及びプレキャストコンクリート梁板２０に組み付けられる構成としてある。
【００６２】
この図示例に係るプレキャストコンクリート上板３０にあっては、該プレキャストコンクリート上板３０の周側部に沿って、このプレキャストコンクリート上板３０における各板面３０ａ、３０ａ間を連通するように取付け孔３２を備えた構成としてある。
【００６３】
このプレキャストコンクリート上板３０における各板面３０ａ間を連通するように備えられる取付け孔３２は、上部側が操作孔部３２ｂとされており、且つ、下部側が細径孔部３２ａとして構成されている。
かかる取付け孔３２を構成する操作孔部３２ｂは、上方に向けて長方形状の開口を備えた構成としてあり、その底部に座金６４及び座金６８を受ける水平面３２ｂ’を備えた構成としてあって、この底部の水平面３２ｂ’からプレキャストコンクリート上板３０の下面側の板面３０ａに連通するように漸次下方に向けて縮径となる細径孔部３２ａを備えた構成としてある。
【００６４】
かかるプレキャストコンクリート上板３０の、前記プレキャストコンクリート側板１０及びプレキャストコンクリート梁板２０に対する組み付けは、前記プレキャストコンクリート梁板２０の挿通孔２３から上方に突き出されている両ねじボルト６２を該プレキャストコンクリート上板３０における前記取付け孔３２に挿通するように、該プレキャストコンクリート上板３０における前記細径孔部３２ａの開口側にある板面３０ａを該プレキャストコンクリート側板１０の板状本体部１０’における上端面１０’ｂとプレキャストコンクリート梁板２０の上端面２０ｃとに添装し、この状態で、前記取付け孔３２内にある両ねじボルト６２に長方形状の座金６４を被嵌し、且つ、この座金６４を前記水平面３２ｂ’間に架け渡すようになすと共に、ナット６３を該両ねじボルト６２に螺合、締め込み、次いで、該プレキャストコンクリート上板３０に備えられる他の各取付け孔３２から、前記座金６４と同様に該取付け孔３２の前記水平面３２ｂ’間に渡るように備えられる長方形状をなす座金６８に挿通したボルト６７を、前記板状本体部１０’の上端部に備えられているインサートナット１４及び前記プレキャストコンクリート梁板２０の上端部に備えられているインサートナット２２に螺合、締め込み、当該プレキャストコンクリート上板３０を、このプレキャストコンクリート梁板２０とプレキャストコンクリート側板１０の板状本体部１０’に止着する。
【００６５】
なお、前記ボルト６２の挿通される座金６４と、前記ボルト６７の挿通される座金６８は、夫々ボルト６２及びボルト６７の挿通穴が横長状の構成としてあり、挿通されるボルト６２及びボルト６７の側方にグラウト６９の注入隙間６４ａ及び注入隙間６８ａを夫々に生ずるように構成してある。
【００６６】
このように基礎４０上に組み付けられた前記プレキャストコンクリート側枠材１を構成するプレキャストコンクリート側板１０及び基礎４０との連結部と、このプレキャストコンクリート側板１０と前記プレキャストコンクリート上枠材２を構成するプレキャストコンクリート梁板２０及びプレキャストコンクリート上板３０との夫々の連結部、即ち、前記アンカーボルト４１の挿通されている取付け孔１２の細径孔部１２ａにおけるパイプ１２ａ’内と、前記両ねじボルト６２の挿通されている前記プレキャストコンクリート梁板２０における挿通孔２３のパイプ２３ａ内及び前記プレキャストコンクリート上板３０における取付け孔３２の細径孔部３２ａ内と、前記ボルト６５の挿通されている前記プレキャストコンクリート側板１０における取付け孔１３の細径孔部１３ａのパイプ１３ａ’内と、前記ボルト６７の挿通されている前記プレキャストコンクリート上板３０における細径孔部３２ａ内とに、夫々グラウト６９を充填する。
【００６７】
なお、前記アンカーボルト４１と取付け孔１２の細径孔部１２ａのパイプ１２ａ’との間に対するグラウト６９の充填は、このアンカーボルト４１に螺着されている前記ナット６０と座金６１とを一旦取り外し、当該アンカーボルト４１とパイプ１２ａ’間にグラウト６９を充填した後、再度、このアンカーボルト４１に座金６１を被嵌してナット６０を締め込み、当該プレキャストコンクリート側枠材１を構成するプレキャストコンクリート側板１０を基礎４０に固着状態とする。
【００６８】
また、前記ボルト６５とパイプ１３ａ’との間に対するグラウト６９の充填は、このパイプ１３ａ’の備えられている細径孔部１３ａに操作穴部１３ｂから連通するように備えられている充填溝１３ｃを用いて該ボルト６５とパイプ１３ａ’間にグラウト６９を注入、充填する。
【００６９】
また、前記両ねじボルト６２の挿通されているパイプ２３ａ内と取付け孔３２の細径孔部３２ａ内とに対するグラウト６９の充填と、前記ボルト６７の挿通されている取付け孔３２の細径孔部３２ａ内に対するグラウト６９の充填は、この両ねじボルト６２に被嵌されている座金６４と、前記ボルト６７に被嵌されている座金６８とが、夫々に、該両ねじボルト６２及びボルト６７の挿通側方に有する注入隙間６４ａ、６８ａを用いてなされる。
【００７０】
次いで、前記グラウト６９の充填された取付け孔１２における操作穴部１２ｂ内と、前記取付け孔１３における操作穴部１３ｂ内と、前記取付け孔３２における操作孔部３２ｂ内にセメントモルタル７０を充填して、表面を夫々の板面に面一となるように鏝仕上げをする。
【００７１】
このように構成されるゲートＡは、このゲートＡの各表面に適宜の化粧を施し、あるいは、化粧を施すことなく、これを前記の各種態様のゲートとして用いることができる。
【００７２】
かかるゲートＡにおける化粧を必要とされる面に対して、各種塗料の塗り付けや吹き付けによる化粧仕上げ、セメントモルタルによる化粧仕上げ、化粧タイル材などの貼着による化粧仕上げなどの各種の化粧処理を施して用いることができる。
【００７３】
また、かかる構成からなるゲートＡにシャッター手段を組入れて、図２７及び図２８で示されるように、当該ゲートＡをシャッターゲートとして用いることができる。
【００７４】
かかるシャッターゲートとして構成されるゲートＡは、前記プレキャストコンクリート上枠材２における各プレキャストコンクリート梁板２０及びプレキャストコンクリート上板３０と、プレキャストコンクリート側枠材１を構成するプレキャストコンクリート側板１０の板状本体部１０’の板面１０’ａとの間に構成される空間内にシャッターボックス７１を都合よく納め入れ得る形状、寸法に構成してあり、この空間内にシャッターボックス７１を納め入れ状態で取付け、このシャッターボックス７１から出し入れ可能に引き出されるシャッター７２で、このゲートＡにおけるプレキャストコンクリート側枠材１及びプレキャストコンクリート上枠材２間に構成される開口を開閉可能に塞ぐように構成する。
なお、図中、７３は、このシャッター７２のシャッタードラムを、また７４は、その駆動手段を示している。
【００７５】
前記構成に係るゲートＡにあっては、現場施工が容易であり、当該ゲートＡの組立に格別の技術を必要とされることがなく、短期間で当該ゲートＡを構成することができると共に、ゲートＡが所期の強度特性や外観特性などの各種の特性を備えたものとして構成され、しかも、外面に化粧処理を施し易いゲートＡとして構成される。
【００７６】
【発明の効果】
この発明に係るゲートは、基礎に備えられているアンカーボルトを受け入れる受入部を有すると共に、該受入部に受け入れたアンカーボルトで前記基礎に止着されている少なくとも一対のプレキャストコンクリート側枠材と、この基礎に備えられている前記プレキャストコンクリート側枠材の上部側間に架け渡されて該プレキャストコンクリート側枠材に両側部を止着されているプレキャストコンクリート上枠材とを備えている構成としてあることから、
前記基礎に備えられているアンカーボルトで該基礎上にプレキャストコンクリート側枠材を止着し、且つ、この基礎に止着されたプレキャストコンクリート側枠材の上部側間に渡るように前記プレキャストコンクリート上枠材を該プレキャストコンクリート側枠材に止着することによって、均一な強度を有すると共に均一な外観を備えたコンクリート造のゲートを容易に構成できる利点を有している。
【００７７】
また、かかる構成からなるゲートにあっては、構成されるゲート表面がコンクリート板面とされ、このコンクリート板面をゲート面として用いることができると共に、化粧仕上げの際の下地面として当該ゲート面を都合良く用い得る利点を有している。
【図面の簡単な説明】
【図１】典型的な一実施の形態に係るゲートを構成する一工程を示す斜視図
【図２】同ゲートの構成過程にあるプレキャストコンクリート側枠材の仮止め部分を示す要部断面図
【図３】同ゲートを構成する他の工程を示す斜視図
【図４】同ゲートを構成する更に他の工程を示す斜視図
【図５】同ゲートを構成する更に他の工程を示す斜視図
【図６】同ゲートを構成する更に他の工程を示す斜視図
【図７】同ゲートを構成する更に他の工程を示す斜視図
【図８】同構成過程のゲートの要部を破断して示す斜視図
【図９】同構成されたゲートを示す斜視図
【図１０】同構成されるゲートを長手側で断面した縦断面図
【図１１】同短手側で断面した縦断面図
【図１２】同平断面図
【図１３】同アンカーボルトによる取付け部の要部断面図
【図１４】同受け板部におけるアンカーボルトによる取付け部の要部断面図
【図１５】同板状本体部におけるアンカーボルトによる取付け部の要部断面図
【図１６】同ボルトによるプレキャストコンクリート梁板の取付け部の要部断面図
【図１７】同両ねじボルトによるプレキャストコンクリート上枠材の取付け部の要部断面図
【図１８】同向きを変えて切断した該取付け部の要部断面
【図１９】同ボルトでプレキャストコンクリート上板をプレキャストコンクリート側板に取り付けた取付け部の要部断面図
【図２０】同向きを変えて切断した該取付け部の要部断面図
【図２１】同ボルトでプレキャストコンクリート上板をプレキャストコンクリート梁板に取り付けた取付け部の要部断面図
【図２２】同向きを変えて切断した該取付け部の要部断面図
【図２３】同プレキャストコンクリート側枠材を構成するプレキャストコンクリート側板の側面図
【図２４】同正面図
【図２５】同平面図
【図２６】同底面図
【図２７】同ゲートをシャッターゲートとして用いる状態を示すゲートの断面図
【図２８】同切断の向きを変えて示すゲートの断面図
【符号の説明】
Ａ  ゲート
１  プレキャストコンクリート側枠材
１ａ  受入れ部
２  プレキャストコンクリート上枠材
１０  プレキャストコンクリート側板
１０’  板状本体部
１０”  受け板部
２０  プレキャストコンクリート梁板
３０  プレキャストコンクリート上板
４０  基礎
４１  アンカーボルト
【図１】
0004629203.tif 000002
【図２】
0004629203.tif 000003
【図３】
0004629203.tif 000004
【図４】
0004629203.tif 000005
【図５】
0004629203.tif 000006
【図６】
0004629203.tif 000007
【図７】
0004629203.tif 000008
【図８】
0004629203.tif 000009
【図９】
0004629203.tif 000010
【図１０】
0004629203.tif 000011
【図１１】
0004629203.tif 000012
【図１２】
0004629203.tif 000013
【図１３】
0004629203.tif 000014
【図１４】
0004629203.tif 000015
【図１５】
0004629203.tif 000016
【図１６】
0004629203.tif 000017
【図１７】
0004629203.tif 000018
【図１８】
0004629203.tif 000019
【図１９】
0004629203.tif 000020
【図２０】
0004629203.tif 000021
【図２１】
0004629203.tif 000022
【図２２】
0004629203.tif 000023
【図２３】
0004629203.tif 000024
【図２４】
0004629203.tif 000025
【図２５】
0004629203.tif 000026
【図２６】
0004629203.tif 000027
【図２７】
0004629203.tif 000028
【図２８】
0004629203.tif 000029